(57)【要約】      （修正有）【課題】建築物の外壁面に設けられる枠組足場の一段上段へ手摺枠を、安全且つ簡単に取り付けることができる手摺取り付け用ブラケットを提供する。  【解決手段】手摺取り付け用ブラケットは、枠組足場２００の一段上段へ手摺枠１０を設置するために、枠組足場２００を構成する縦管Ｎと枠組足場２００の幅方向に延びた横管Ｍとの接続箇所に取付けられる。前記横管Ｍの上部に嵌着される横管受け部２と、この横管受け部２の両側部に接合される一対の縦管保持部３，３と、前記横管受け部２の両側面から互いに逆向きに突設された棒材と、この棒材に外挿される円筒体を外面に有した手摺支柱差込袖６と、前記縦管保持部３，３の下部から枠組足場２００の長手方向に延設された手摺支柱受け部４とを備え、前記手摺支柱差込袖６が、前記枠組足場２００から外方に向かって上向きに傾斜した姿勢で、前記棒材に回転自在に保持されている。【選択図】図１
0003183523.tif 000002
【実用新案登録請求の範囲】
【請求項１】
建築物の外壁面に設けられる枠組足場の一段上段へ手摺枠を設置するために、枠組足場を構成する縦管と枠組足場の幅方向に延びた横管との接続箇所に取付けられる手摺取り付け用ブラケットであって、
前記横管の上部に嵌着される横管受け部と、
この横管受け部の両側部に接合され、前記縦管の両側に配置される一対の縦管保持部と、
前記横管受け部の両側面から前記枠組足場の長手方向に沿って互いに逆向きに突設された棒材と、
この棒材に回転自在に外挿される円筒体を外面に有し、手摺の支柱が挿通される手摺支柱差込袖と、
前記縦管保持部の下部から枠組足場の長手方向に延設された手摺支柱受け部とを備え、
前記手摺支柱差込袖が、前記枠組足場から外方に向かって上向きに傾斜した姿勢で、前記棒材に回転自在に保持されていることを特徴とする手摺取り付け用ブラケット。
【請求項２】
前記円筒体が、前記棒材上にスライド自在に外挿されていることを特徴とする請求項１記載の手摺取り付け用ブラケット。
【請求項３】
前記縦管保持部の背部に切欠き部を設け、かつ
前記手摺支柱差込袖の背面に前記切欠き部に係止して手摺支柱差込袖の回転を規制するためのストッパー棒を設けたことを特徴とする請求項１または２記載の手摺取り付け用ブラケット。
【請求項４】
前記手摺支柱受け部の底面に凸状の手摺支柱差込板が突設されていることを特徴とする請求項１〜３のいずれかに記載の手摺取り付け用ブラケット。
【考案の詳細な説明】
【技術分野】
【０００１】
本考案は、建築現場等に設置される枠組足場へ手摺枠を、安全且つ簡単に取り付けるための手摺取り付け用ブラケットに関する。
【背景技術】
【０００２】
近年、マンション、商業ビル等の建築現場の建築物の外壁面に設けられる枠組足場について、労働安全衛生規則（足場等関係）が改正され、足場、架設通路及び作業構台からの墜落防止措置等に関する規則が変わり、墜落防止措置として、枠組足場に手摺の設置が義務付けられた。（非特許文献１参照）。
しかし、マンション、商業ビル等の建築現場において、枠組足場の外側に手摺を取り付ける工事は、それ自体が危険であった。
従って、建築現場において、足場に手摺枠を安全に取り付けることが要望されている。
【先行技術文献】
【非特許文献】
【０００３】
【非特許文献１】厚生労働相・都道府県労働局・労働基準監督署、「労働安全衛生規則（足場等関係）が改正されました」、［online］、平成21年2月、厚生労働省、［平成24年4月2日検索］、インターネット（URL：http://www.ｍhlw.go.jp/bunｎa/roudoukijun/anzeneisei26/dl/01.pdf）
【考案の概要】
【考案が解決しようとする課題】
【０００４】
本考案は、建築物の外壁面に設けられる枠組足場へ手摺枠を安全且つ簡単に取り付けられる手摺取り付け用ブラケットを提供することを目的とする。
【課題を解決するための手段】
【０００５】
本考案者は、上記課題を解決すべく鋭意検討を重ねた結果、枠組足場の一段上段へ手摺枠を取り付けるようにすれば、安全に手摺枠を取り付けることができることに着目し、本考案を完成するに至った。
【０００６】
すなわち、本考案の手摺取り付け用ブラケットは、以下の構成を有する。
（１）建築物の外壁面に設けられる枠組足場の一段上段へ手摺枠を設置するために、枠組足場を構成する縦管と枠組足場の幅方向に延びた横管との接続箇所に取付けられる手摺取り付け用ブラケットであって、前記横管の上部に嵌着される横管受け部と、この横管受け部の両側部に接合され、前記縦管の両側に配置される一対の縦管保持部と、前記横管受け部の両側面から前記枠組足場の長手方向に沿って互いに逆向きに突設された棒材と、この棒材に回転自在に外挿される円筒体を外面に有し、手摺の支柱が挿通される手摺支柱差込袖と、前記縦管保持部の下部から枠組足場の長手方向に延設された手摺支柱受け部とを備え、前記手摺支柱差込袖が、前記枠組足場から外方に向かって上向きに傾斜した姿勢で、前記棒材に回転自在に保持されていることを特徴とする手摺取り付け用ブラケット。
（２）前記円筒体が、前記棒材上にスライド自在に外挿されていることを特徴とする（１）記載の手摺取り付け用ブラケット。
（３）前記縦管保持部の背部に切欠き部を設け、かつ前記手摺支柱差込袖の背面に前記切欠き部に係止して手摺支柱差込袖の回転を規制するためのストッパー棒を設けたことを特徴とする（１）または（２）記載の手摺取り付け用ブラケット。
（４）前記手摺支柱受け部の底面に凸状の手摺支柱差込板が突設されていることを特徴とする（１）〜（３）のいずれかに記載の手摺取り付け用ブラケット。
【考案の効果】
【０００７】
本考案の手摺取り付け用ブラケットは、枠組足場への手摺枠の設置を安全かつ簡単に行うことができるという効果がある。
【図面の簡単な説明】
【０００８】
【図１】本考案の手摺取り付け用ブラケットの枠組足場へ取り付けた一実施形態を示す斜視図である。
【図２】図１に示す手摺取り付け用ブラケットを示す斜視図である。
【図３】（ａ）は図１に示す手摺取り付け用ブラケットの取り付け状態を示す正面図であり、（ｂ）はその側面図である。
【図４】（ａ）は本考案の手摺取り付け用ブラケットにおける横管受け部を示す正面図であり、（ｂ）はその側面図である。
【図５】（ａ）は図２に示す手摺取り付け用ブラケットから手摺支柱差込袖を除いた状態を示す正面図であり、（ｂ）はその側面図である。
【図６】（ａ）、（ｂ）は本考案の手摺取り付け用ブラケットへの袖部受けの取り付け手順を示す斜視図である。
【図７】（ａ）は本考案の手摺取り付け用ブラケットにおける手摺支柱差込袖を示す側面図であり、（ｂ）はその平面図である。
【図８】本考案の手摺取り付け用ブラケットの手摺支柱差込袖の傾きを示す側面図である。
【図９】本考案の手摺取り付け用ブラケットにおける手摺支柱差込袖のスライド動作を示す平面図である。
【図１０】（ａ）〜（ｃ）は本考案の手摺取り付け用ブラケットの枠組足場への取り付け手順を示す側面図である。
【考案を実施するための形態】
【０００９】
以下、図面を用いて本考案を詳細に説明する。
図１に示すように、本考案の手摺取り付け用ブラケット１は、建築物の外壁面に設けられる枠組足場２００の一段上段へ手摺枠１０を設置するために、枠組足場２００を構成する縦管Ｎと枠組足場の幅方向に延びた横管Ｍとの接続箇所に取付けられる手摺取り付け用ブラケットである。
この手摺取り付け用ブラケット１は、図２に示すように、横管受け部２と、この横管受け部２の両側部に接合される一対の縦管保持部３，３と、前記横管受け部２の両側面から前記枠組足場２００の長手方向に沿って互いに逆向きに突設された棒材５と、この棒材５に回転自在に外挿される円筒体６０が外面に取り付けられている。手摺支柱差込袖６と、前記縦管保持部３，３の下部から枠組足場２００の長手方向に延設された手摺支柱受け部４とを備える。
【００１０】
図３（ａ）、（ｂ）に示すように、横管受け部２は、前記横管Ｍの上部に嵌着される。一対の縦管保持部３，３は、前記縦管Ｎの両側に配置される。手摺支柱差込袖６は、前記枠組足場２００から外方に向かって上向きに傾斜した姿勢で、前記円筒体６０を外挿する棒材５に回転自在に保持されている。縦管固定棒８は、縦管Ｎを手摺取り付け用ブラケット１へ挿入した後、手摺支柱受け部４の下部に設けられた縦管固定棒支持部９と、縦管固定棒挿通部９’に挿通させ、縦管Ｎへの手摺取り付け用ブラケット１の取り付けをより強固にするものである。すなわち、縦管固定棒８は、両端部を同方向へ折り曲げた形状をしており、縦管固定棒支持部９と縦管固定棒挿通部９’は、手摺支柱受け部４の下部に接合する箇所以外の一辺が開放された断面四角形状の中空体である。この縦管固定棒支持部９と縦管固定棒挿通部９’に縦管固定棒８を通す際は、縦管固定棒８の端部の折り曲げた箇所を、縦管固定棒支持部９と縦管固定棒挿通部９’のそれぞれの開放された一辺に通していくことにより、手摺取り付け用ブラケット１は縦管Ｎに強固に固定される。
【００１１】
横管受け部２は、図４（ａ）、（ｂ）に示すように、前記横管Ｍの上部に嵌着されるよう断面が略逆Ｕ字形になった嵌着部２１と、一対の縦管保持部３，３に接合される一対の接合部２２とが一体成形されてなるものであり、該横管受け部２は、図１中の建築物の外壁面に設けられる枠組足場の幅方向Ｗに架設した横管Ｍに手摺取り付け用ブラケット１を取付けるために使用される。
また、横管受け部２の装着部２１上面には、枠組足場の縦管Ｎから出たボルトやネジに引っ掛からないよう図４（ｂ）に示すように切込み２０が設けられている。
【００１２】
枠組足場を構成する縦管Ｎが挿通する一対の縦管保持部３，３は、図５（ａ）、（ｂ）に示すように、横管受け部２の一対の接合部２２の両側部に溶接等によって接合されるものである。また、一対の縦管保持部３，３の下部は、長手方向に折曲されて手摺支柱受け部４が形成されている。
【００１３】
図５（ａ）、（ｂ）に示すように、棒材５は、横管受け部２の嵌着部２１（図４（ａ）、（ｂ）を参照）の外面にそれぞれ後端面が接合されるものであり、棒材５と横管受け部２との接合方法は、溶接やねじ止め等が挙げられるが、例えばナット（図示せず）等を横管受け部２の嵌着部２１の外面に予め溶接等で接合し、該ナットのねじ穴に、外周面にねじ溝が形成された棒材５を螺合するよう固定してもよい。
【００１４】
この棒材５には、手摺支柱差込袖６の外面に取り付けられた円筒体６０が外挿される。また、棒材５に外挿した後、円筒体６０が抜け落ちないように、棒材５の端部にはキャップ５２を付けてもよく（図２）、該キャップ５２は棒材５に嵌め込むタイプだけではなく、ナットのように棒材５に螺合させるようなものでもよい。
【００１５】
手摺支柱受け部４は、図６（ａ）に示すように、縦管保持部３，３の下端を折り曲げて形成されるものである。
この手摺支柱受け部４には、図６（ａ）、（ｂ）に示すように、手摺支柱受け部４の後方の端面、また縦管保持部３，３の後方の端面に袖部当て板４２を溶接等で接合する。前記袖部当て板４２は、後述する手摺支柱差込袖６，６が後方へ回動した時に、これと接触して手摺支柱差込袖６，６の回動を制止し、かつ手摺枠１０を鉛直姿勢で保持するためのものである。
また、前記手摺支柱受け部４上には、横管受け部２の方向へ突設した手摺支柱差込板４３，４３を設けてもよい。
この手摺支柱差込板４３，４３は、手摺支柱差込袖６，６へ差し込まれた手摺枠１０の中空状の内部に挿入され、手摺枠１０をより確実に手摺支柱受け部４上へ固定するためのものである。
【００１６】
図７（ａ）、（ｂ）に示すように、手摺枠１０の縦枠１２が挿通される手摺支柱差込袖６は、その一片６１が開放された筒状であり、また外面上に円筒体６０と、円筒体６０と反対側の外面上にストッパー７が取り付けられている。
このような手摺支柱差込袖６は、板材を折り曲げ、手摺枠１０の縦枠１２を挿通できる大きさで形成されている。
【００１７】
手摺支柱差込袖６は、図７（ａ）に示すように、手摺枠１０の縦枠１２を挿通しやすくするため、手摺支柱差込袖６の背部（袖部当て板４２）側が前部よりも長く作られているのが好ましい。この時、手摺支柱差込袖６の前部の一辺から背部の一辺への斜線の傾斜角度αは３０〜６０°、より好ましくは４０〜５０°であるのが良い。
また、手摺支柱差込袖６は、挿入される手摺枠１０の横枠１１のため、図７（ｂ）に示すように、その一片６１が開放されている。該一片６１の開放される長さは、手摺枠１０の横枠１１の側面の長さが露出する程度であればよい。
【００１８】
図８に示すように、手摺支柱差込袖６を支持する円筒体６０および棒材５の中心は、該手摺支柱差込袖６の重心６５より上方にある。そのため、手摺支柱差込袖６は、図１または図８に示すように、枠組足場から外方に向かって上向きに傾斜した状態になっている。
また、図８に示す、縦管保持部３に対する手摺支柱差込袖６の垂直方向を基準とした傾斜角度βは１５〜６０°、より好ましくは２０〜３０°であるのが良い。
【００１９】
図８に示すように、手摺支柱差込袖６が、上記した傾斜姿勢を保つように、手摺支柱差込袖６において円筒体６０とは逆の背部には、棒状のストッパー７が設けられていてもよい。
このストッパー７は、手摺支柱差込袖６が静止時には、一対の縦管保持部３，３の背部に設けられた切欠き部３０内にある。この切欠き部３０は一対の縦管保持部３，３の背部から横菅受け部２側へ８０〜１００°の角度を有する。
手摺支柱差込袖６の静止時には、ストッパー７は切欠き部３０の最奥部近くにあり、前記手摺支柱差込袖６に手摺枠１０が差し込まれ、手摺支柱差込袖６が鉛直状態となった時は、ストッパー７は切欠き部３０の上部へと移動する。
このようなストッパー７と一対の縦管保持部３，３の背部に設けられた切欠き部３０により、手摺支柱差込袖６は、例えば強風等の影響を受けても、手摺枠１０を挿入するのに最適な傾斜を維持することが可能になる。
【００２０】
棒材５に外挿された円筒体６０は、図９に示すように、前記棒材５上のｄ区間を自在にスライドすることができる。つまり、円筒体６０が棒材５上のｄ区間を自在にスライドすることによって、円筒体６０が接合された手摺支柱差込袖６もスライドすることができる。
これによって手摺枠１０の幅、すなわち横枠１１の長さが異なった場合でも、この横枠１１に合わせて、左右の手摺支柱差込袖６をスライドさせることで、手摺枠１０を手摺取り付け用ブラケット１に嵌め込むことが可能になる。
【００２１】
２つの前記手摺支柱差込袖６は一対の縦管保持部３，３とそれぞれ離隔して設けられている。これは手摺支柱差込袖６が回動した際に、縦管保持部３と接触するのを防ぐためである。
【００２２】
次に本考案の手摺取り付け用ブラケット１の枠組足場２００への取り付け方法を説明する。
【００２３】
まず、枠組足場２００の縦管Ｎに手摺取り付け用ブラケット１を、縦管Ｎの上方から縦管保持部３，３の間に嵌めこむ。この後、縦管保持部３，３の間に縦管Ｎが挿通されるように手摺取り付け用ブラケット１を下方へ降ろすと、断面が略逆Ｕ字形になっている横管受け部２が横管Ｍの上部に嵌着され、取り付けが完了する。また、手摺取り付け用ブラケット１は、手摺の左右に一対で使用されるものであるので、もう一方も同様にして足場枠組２００に取り付けて、最終的に図１に示す実施形態となる。
【００２４】
尚、縦管Ｎの太さ等によって、手摺取り付け用ブラケット１の固定が不確実である場合、図１または図２に示すような固定手摺支柱受け部４の下部に設けた縦管固定棒８を縦管固定棒支持部９と縦管固定棒挿通部９’へ、閂（かんぬき）の要領で通すことによって、より確実に縦管Ｎに手摺取り付け用ブラケット１を固定することができる。
【００２５】
図１０（ａ）〜（ｃ）は、本考案の手摺取り付け用ブラケット１を用いて手摺枠１０を取り付ける作業工程を示している。
作業者１００は、まず、手摺枠１０の縦枠１２の下部を手で持ち（図１０（ａ））、手摺枠１０の縦枠１２の上部を、手摺取り付け用ブラケット１の下方から手摺支柱差込袖６の開口に向かって持ち上げ、手摺支柱差込袖６へと挿入する（図１０（ｂ））。このとき、手摺支柱差込袖６は、傾斜姿勢となっているので、手摺枠１０の挿入が容易になる。
この状態にて、手摺枠１０の下端部を外方へ押して手摺支柱差込袖６と共に建築物側へ回動させ、手摺枠１０がほぼ垂直姿勢になった状態で、図１０（ｃ）のように作業者１００が手摺枠１０を下方向へ落とすと、手摺枠１０は手摺支柱差込袖６内を滑り落ち、手摺支柱受け部４の底面にて受け止められ、手摺支柱受け部４の手摺支柱差込板４３に差し込まれて固定される。こうして、一段上段部への手摺枠１０の設置は完了する。
【００２６】
以上のように、この実施形態によれば、建築物の外壁面に設けられる枠組足場２００の一段上段へ手摺枠１０を、安全且つ簡単に取り付けることができる。
一方、枠組足場２００に設置した手摺枠１０を解体等で取り外したい場合、上記した手順を逆から行えば良い。そうすることにより、手摺枠１０が設置された一段下段部から安全で簡単且つ迅速に手摺枠１０を取り外すことができる。
【符号の説明】
【００２７】
１  手摺取り付け用ブラケット
２  横管受け部
３  縦管保持部
４  手摺支柱受け部
５  棒材
６  手摺支柱差込袖
７  ストッパー
８  縦管固定棒
９  縦管固定棒支持部
９’  縦管固定棒挿通部
１０  手摺枠
１１  横枠
１２  縦枠
２０  切込み
２１  嵌着部
２２  接合部
３０  切欠き部
４２  袖部当て板
４３  手摺支柱差込板
５２  キャップ
６０  円筒体
６５  重心
１００  作業者
２００  枠組足場
Ｍ  横管
Ｎ  縦管
【図１】
0003183523.tif 000003
【図２】
0003183523.tif 000004
【図３】
0003183523.tif 000005
【図４】
0003183523.tif 000006
【図５】
0003183523.tif 000007
【図６】
0003183523.tif 000008
【図７】
0003183523.tif 000009
【図８】
0003183523.tif 000010
【図９】
0003183523.tif 000011
【図１０】
0003183523.tif 000012